(57)【要約】      （修正有）【課題】浮かせ収納式トレーとして、折畳形態から別部材を用いず使用形態へ転換する。【解決手段】把手枠６，６の上板部６１，６１間に前後側板２Ａ，２Ｂと横仕切板４とが、横仕切板４に縦仕切板５が、底板１に左右側板３，３が連設され、底板１に前後側板２Ａ，２Ｂ及び横仕切板４が接続し、左右側板３に下壁部３ｂ側から上壁部３ａ側へ入り込む支持突片３１が形成され、縦仕切板５側方帯状部５ｂ，５ｂ側から中央帯状部５ａ側へ入り込む支持突片５１が形成され、横仕切板４の中央部に凹入する切欠係合部４１を有する。折畳み形態では、左右側板３，３が外側へ倒伏し、前後側板２Ａ，２Ｂ及び両仕切板４，５が前後一方に倒伏する。組立形態では、切り離した縦仕切板５を折り付けて横仕切板４の切欠係合部４１に挿嵌し、左右側板３を下壁部３ａが内側へ傾斜する状態で起立させて把手枠６に係止し、商品パック７を支持突片３１、５１で支承し浮かせて保持する。【選択図】図８
2008068914.tif 000002
【特許請求の範囲】
【請求項１】
複数の収容室を有し、左右両端部に把手枠が設けられてなる中仕切り付段ボール用トレーであって、
前記把手枠の下方に位置する側板は、折線によって上下壁部に区分されると共に、下壁部側から連続して上壁部側へ入り込む複数の支持突片が切込み形成され、
各収容室に納める商品パックの周縁張出部を左右側板の支持突片あるいは一方の側板の支持突片と縦仕切板の支持突片とで支承することにより、該商品パックを底板から浮かせた状態で保持するように構成されると共に、
前記把手枠の上板部に、トレー内を少なくとも２つの収容室に区画する横仕切板が連設されてなることを特徴とする中仕切付き段ボールトレー。
【請求項２】
内側が十字形に交叉する縦仕切板と横仕切板とで４つの収容室に区画され、
左右の把手枠の上板部間に前後側板と左右方向に沿う横仕切板とが連設され、その横仕切板には切線を介して縦仕切板が連設され、底板に左右側板が連設されると共に、該底板には前後側板及び横仕切板が下端部で接続し、
左右側板は、折線によって上下壁部に区分されると共に、下壁部側から連続して上壁部側へ入り込む複数の支持突片が切込み形成され、
縦仕切板は、長手方向に沿う平行な折線により、中央帯状部と側方帯状部に区分され、側方帯状部側から連続して中央帯状部側へ入り込む複数の支持突片が切込み形成され、
横仕切板の中央部に、上端から凹入して下部が略Ｖ字形をなす切欠係合部を有し、
折畳み形態では、左右側板が底板と面一に外側へ倒伏し、前後側板及び連設した前記両仕切板が前後一方に倒伏し、
組立形態では、切り離した縦仕切板を中央帯状部が上面となる縦断面略逆三角形状に折り付け、この折り付け状態の縦仕切板を中央部で横仕切板の切欠係合部に挿嵌する一方、左右側板を下壁部が内側へ傾斜する状態で起立させて上端部で把手枠に係止するものとなされている請求項１に記載の中仕切付き段ボールトレー。
【請求項３】
縦仕切板の中央部に前記折り付け状態で下端から中間高さに至る切込みを有し、この切り込みを横仕切板の切欠係合部よりも下位部分に嵌合するように構成されてなる請求項２記載の中仕切付き段ボールトレー。
【請求項４】
前後側板の一方と横仕切板が下端部で底板に接着されてなる請求項１〜３のいずれかに記載の中仕切付き段ボールトレー。
【請求項５】
左右側板の上部に支持フラップが連設される一方、各把手枠の上板部の外縁側に折返し用フラップが連設され、
組立状態において、前記支持フラップを把手枠の上板部下面に重合すると共に、該支持フラップの下側へ前記折返し用フラップを折り返し、この折返し用フラップに設けた係止片を左右側板側の係止溝に挿嵌固定するように構成されてなる請求項１〜４のいずれかに記載の中仕切付き段ボールトレー。
【発明の詳細な説明】
【技術分野】
【０００１】
この発明は、主として青果物パックの運搬、保管、店頭展示等に利用する中仕切付き段ボールトレーに関する。
【背景技術】
【０００２】
一般的に、イチゴやブドウの如き果物類、トマトやピーマンの如き野菜類、シイタケやシメジの如き茸類等の小物の青果物は、一定量を矩形の透明プラスチックケースに入れたパック単位で販売されることが多い。そして、これら青果物パックの運搬用として内側が十字形に仕切られた中仕切付き段ボールトレーが汎用されており、その４つの各収容室に１パックずつ詰めた状態で持ち運びを行なうと共に、そのままの形で保管や店頭展示にも供されている。
【０００３】
ところが、特にイチゴのような傷み易い果物のパックでは、これを収容したトレーの輸送や持ち運び等の取扱い中にパックに直接に圧力や衝撃が加わると、簡単に果肉が潰れて忽ち商品価値を損なうことになる。そこで、近年においては、中仕切付き段ボールトレーとして、青果物パックをその周縁張出部で支えて底板から浮かした状態で収容することにより、圧力や衝撃がパックに直接に及ぶのを回避するようにした構造のものが登場している。
【０００４】
そして、従来の浮かせ収納式の中仕切付き段ボールトレーは、所要形状に打ち抜いた一枚の平坦シートから特定の手順を経てトレー本体を組み立てると共に、このトレー本体の内側に、別体である縦横の仕切板を組み付けるようになっている（特許文献１，２）。
【特許文献１】特許公開２００５−３５６１２
【特許文献２】特許公開２００６−７６６１２
【発明の開示】
【発明が解決しようとする課題】
【０００５】
しかしながら、前記従来の浮かせ収納式の中仕切付き段ボールトレーは、構造的に複雑であり、平坦シートからの組み立てに多くの複雑な手順を経ることから、その組立操作に多大な手間と時間を費やして能率が悪く、また使用者である農家や販売店で複雑な組立手法を習熟するのに困難をきたす上、仕切板がトレー本体とは別体であるため、この仕切板が散逸して組み立てに支障をきたす懸念もあった。
【０００６】
この発明は、上述の状況に鑑み、浮かせ収納式の中仕切付き段ボールトレーとして、折畳み形態から別部材を用いずに使用形態へ簡単に転換でき、習熟を要さずに短時間で能率よく組み立てて使用できるものを提供することを目的としている。
【課題を解決するための手段】
【０００７】
上記目的を達成するために、請求項１の発明は、複数の収容室を有し、左右両端部に把手枠が設けられてなる中仕切り付段ボール用トレーであって、前記把手枠の下方に位置する側板は、折線によって上下壁部に区分されると共に、下壁部側から連続して上壁部側へ入り込む複数の支持突片が切込み形成され、各収容室に納める商品パックの周縁張出部を左右側板の支持突片あるいは一方の側板の支持突片と縦仕切板の支持突片とで支承することにより、該商品パックを底板から浮かせた状態で保持するように構成されると共に、前記把手枠の上板部に、トレー内を少なくとも２つの収容室に区画する横仕切板が連設されてなる構成を有している。
【０００８】
請求項２の発明は、上記請求項１の中仕切付き段ボールトレーにおいて、内側が十字形に交叉する縦仕切板と横仕切板とで４つの収容室に区画され、左右の把手枠の上板部間に前後側板と左右方向に沿う横仕切板とが連設され、その横仕切板には切線を介して縦仕切板が連設され、底板に左右側板が連設されると共に、該底板には前後側板及び横仕切板が下端部で接続し、左右側板は、折線によって上下壁部に区分されると共に、下壁部側から連続して上壁部側へ入り込む複数の支持突片が切込み形成され、縦仕切板は、長手方向に沿う平行な２本の折線により、中央帯状部と側方帯状部に区分され、側方帯状部側から各々連続して中央帯状部側へ入り込む複数の支持突片が切込み形成され、横仕切板の中央部に、上端から凹入して下部が略Ｖ字形をなす切欠係合部を有し、折畳み形態では、左右側板が底板と面一に外側へ倒伏し、前後側板及び連設した前記両仕切板が前後一方に倒伏し、組立形態では、切り離した縦仕切板を中央帯状部が上面となる縦断面略逆三角形状に折り付け、この折り付け状態の縦仕切板を中央部で横仕切板の切欠係合部に挿嵌する一方、左右側板を下壁部が内側へ傾斜する状態で起立させて上端部で把手枠に係止し、各収納室に納める商品パックの周縁張出部を左右側板の支持突片と縦仕切板の支持突片とで支承することにより、該商品パックを底板から浮かせた状態で保持するように構成されてなる。
【０００９】
そして、請求項３の発明は、上記請求項２の中仕切付き段ボールトレーにおいて、縦仕切板の中央部に前記折り付け状態で下端から中間高さに至る切込みを有し、この切込みを横仕切板の切欠係合部よりも下位部分に嵌合するように構成されてなる。
の中仕切付き段ボールトレー。
【００１０】
また、請求項４の発明は、上記請求項１〜３の中仕切付き段ボールトレーにおいて、前後側板の一方と横仕切板が下端部で底板に接着されてなるものとしている。
【００１１】
更に、請求項５の発明は、上記請求項１〜４のいずれかの中仕切付き段ボールトレーにおいて、左右側板の上部に支持フラップが連設される一方、各把手枠の上板部の外縁側に折返し用フラップが連設され、組立状態において、支持フラップを把手枠の上板部下面に重合すると共に、該支持フラップの下側へ折返し用フラップを折り返し、この折返し用フラップに設けた係止片を左右側板側の係止溝に挿嵌固定するように構成されてなる。
【発明の効果】
【００１２】
請求項１の発明に係る中仕切付き段ボールトレーは、各収容室に納めた商品パックの周縁張出部を左右側板の支持突片と縦仕切板の支持突片とで支承することにより、該商品パックを底板から浮かせた状態で保持するが、それら支持突片が左右側板の下壁部と縦仕切板の側方帯状部とから連続して直線的に突出した形になるから、高剛性で商品パックの重量が大きくても座屈を生じず、もって該商品パックを圧力や衝撃から安定的に保護する。
【００１３】
請求項２の発明によれば、平坦な折畳み形態から立体的な使用形態へ転換する際、倒伏していた前後側板と横仕切板を把手枠の上板部ごと一体に引き起こして起立させ、左右側板を引き起こして下壁部が内側へ傾斜する状態で把手枠の内側へ入り込ませると共に、横仕切板から切り離した縦仕切板を縦断面略逆三角形状に折り付けて該横仕切板の切欠係合部に挿嵌すればよく、操作的に非常に簡単であるから，習熟を要さずに短時間で能率よく組み立てて使用できる。また、折畳み形態では縦仕切板が切線を介して横仕切板に繋がっており、独立した別部材が存在しないから、別部材の散逸で組み立てに支障を生じることもない。
【００１４】
請求項３の発明によれば、上記請求項１又は請求項２の中仕切付き段ボールトレーにおいて、縦仕切板の切込みが横仕切板の切欠係合部よりも下位部分に嵌合するから、両仕切板の相互の嵌合状態がより安定する。
【００１５】
請求項４の発明に係る中仕切付き段ボールトレーでは、底板に対して前後側板の一方と横仕切板を接着する構成であるから、折畳み形態とする組立構造が非常に簡素になり、該折畳み形態の製作が容易であると共に、折畳み形態と使用形態との転換動作の高い信頼性が得られる。
【００１６】
請求項５の発明に係る中仕切付き段ボールトレーでは、把手枠の把持部分となる上板部側が三重に構成されて高剛性で且つ高強度になると共に、左右側板の支持フラップが把手枠の上板部と折返し用フラップの間に挟まれて強固に保持されるから、収容物の重量が大きくなっても両側の把手枠によって底抜けの懸念なく安定に持ち運びできる。
【発明を実施するための最良の形態】
【００１７】
以下に、この発明の一実施形態に係る中仕切付き段ボールトレーについて、図面を参照して具体的に説明する。
【００１８】
図１に示すように、この中仕切付き段ボールトレーＴは、その長手方向を左右として、底板１と前後側板２Ａ，２Ｂ及び左右側板３，３とで構成されるトレーの内側が、十字形に交叉配置した横仕切板４と縦仕切板５によって４つの収容室１０…に分画されると共に、左右両端部が帯板状の上板部６１と前後側板２Ａ，２Ｂの端部２ａ，２ａとで下向き開放コ字形をなす把手枠６を形成している。
【００１９】
しかして、この中仕切付き段ボールトレーＴは、全体が図２の展開状態で示す一枚物の打抜き段ボールシートＳを原材料として、図３に示す半組立状態の折畳み形態Ｆから立体的に組み上げられている。
【００２０】
図２に示す打抜き段ボールシートＳは、左右の把手枠６，６を構成する上板部６１，６１の前後両端間に、折線ａ…を介して前後側板２Ａ，２Ｂが連設されると共に、両上板部６１，６１の内縁側中央部に突設された四分円状の接続片６１ａ、６１ａ間に、折線ｂ…を介して横仕切板４が連設され、更に該横仕切板４に切線ｐを介して縦仕切板５が連設されている。また、後側側板２Ｂの下縁側は折線ｃを介して矩形の底板１に連続しており、該底板１の左右両側には折線ｄを介して左右側板３，３が連設されている。更に、前後側板２Ａ，２Ｂの上縁には、各々左右二箇所に手掛かり用凹部２１が形成されている。
【００２１】
そして、各把手枠６の上板部６１の外縁側には二重の折線ｅを介して折返し用フラップ６２が連設されており、この折返し用フラップ６２の外縁側の両端部にロック片６２ａ，６２ａが突設されると共に、同外縁側の中央に半円形の指掛け用切欠６２ｂが形成されている。また、横仕切板４は、長手方向（左右方向）中央部に、上端から凹入して下部４１ａが略Ｖ字形をなす切欠係合部４１を有し、下縁側には折線ｆを介して糊代片４２が連設されている。縦仕切板５は、長手方向に沿う２本の平行な折線ｇ，ｇにより、中央帯状部５ａと側方帯状部５ｂ，５ｂに区分され、長手方向両側位置に側方帯状部５ｂ，５ｂ側から各々連続して中央帯状部５ａ側へ入り込む各一対の支持突片５１…が切込み形成されると共に、長手方向中央位置に両側側縁から中央側へ入り込む切込み部５２，５２が形成されている。
【００２２】
一方、左右側板３，３は、それぞれ横方向の折線ｈによって上壁部３ａと下壁部３ｂとに区分されると共に、その境界部で下壁部３ｂ側から連続して上壁部３ａ側へ入り込む一対の支持突片３１，３１が切込み形成され、更に上縁側に折線ｉを介して帯状の支持フラップ３２が連設され、更にこの連設境界部において、前後両側端から折線ｉに沿って中央側へ切り込む一対のロック溝３３，３３が形成されている。更に、底板１の後縁側には折線ｊを介して糊代片１１が連設されている。
【００２３】
この打抜き段ボールシートＳから図３に示す折畳み形態Ｆに組み立てるには、前側側板２Ｂの内面側下部に対する底板１の糊代片１１の接着と、底板１の内面中央部に対する横仕切板４の糊代片４２の接着とを行うだけでよい。すなわち、糊代片１１の接着により、底板１及び前後側板２Ａ，２Ｂと両把手枠６，６の上板部６１，６１との間で偏平な角筒が構成されると共に、糊代片４２の接着により、該角筒内が幅方向中央で横仕切板４にて区切られた形になるから、該角筒を平行四辺形状に押し潰す形で、前後側板２Ａ，２Ｂ及び横仕切板４を一体に前後一方（図３では前方）へ倒伏させれば、図３に示す偏平な折畳み形態Ｆになる。
【００２４】
このような折畳み形態Ｆとすることにより、中仕切付き段ボールトレーＴ自体の搬送や保管を嵩張らない形で行えると共に、パック商品等を取り扱う使用者側で習熟を要さずに短時間で能率よく使用形態に組み立てることができる。また、この折畳み形態Ｆでは、縦仕切板５が横仕切板４と面一状態で繋がり、使用形態での全構成部分が一体になっているから、独立した別部材の散逸で組み立てに支障を生じるようなことはない。しかして、この折畳み形態Ｆは、打抜き段ボールシートＳから２ヵ所を接着するだけで構成できるから、その製作加工が容易であると共に、構造的に非常に簡素であるために使用形態との転換動作の高い信頼性が得られる。
【００２５】
次に、この折畳み形態Ｆから使用形態へ転換するための組立操作について説明する。まず、折畳み形態Ｆで倒伏していた前後側板２Ａ，２Ｂ及び横仕切板４を、図４に示すように両把手枠６，６の上板部６１，６１ごと一体に引き起こし、図５に示すように垂直に起立させる。これにより、縦仕切板５も横仕切板４と一体に直立する。
【００２６】
続いて、外側へ倒伏していた左右側板３，３を引き起こし、各々下壁部３ｂが内向きに傾斜して上壁部３ａが垂直になる状態で把手枠６の内側へ入り込ませ、支持フラップ３２が外側へ曲折して把手枠６の上板部６１の下面側に重ね合わせる。そして、各把手枠６の折返し用フラップ６２を下に折り曲げて内側へ折り返し、その両端のロック片６２ａ，６２ａを左右側板３，３の各上縁側のロック溝３３，３３に嵌入させて固定し、図６に示す状態とする。
【００２７】
そして、横仕切板４から縦仕切板５を切り離し、この縦仕切板５を中央帯状部５ａが上面となる縦断面略逆三角形状に折り付け、図７に示すように、この折り付け状態の縦仕切板５を中央部で横仕切板４の切欠係合部４１に挿嵌し、切込み部５２を切欠係合部４１を越えた下側部分に嵌合させ、もって両仕切板４，５を十字形に交叉配置して図１に示す使用形態を完成する。
【００２８】
このように、中仕切付き段ボールトレーＴの使用形態への組み立ては、既に半組立状態になっている折畳み形態Ｆからの操作になるから、手順が極めて簡単であり、農家や販売店でも習熟を要さずに短時間で能率よく行える。
【００２９】
かくして使用形態に組み立てた中仕切付き段ボールトレーＴは、図８の断面図で示すように、両仕切板４，５にて区画された各収容室１０において、左右側板３の支持突片３１と縦仕切板５の支持突片５１とが左右両側から斜め上向きに突出した状態になっている。従って、同図の仮想線で示すように、各収容室１０にイチゴパック等の商品パック７を収容すると、両支持突片３１，５１が該パック７の張出周縁部７ａを左右両側から支承することになり、もって該パック７は底板１から浮いた状態で保持されるから、トレーの輸送や持ち運び等の取扱い中に圧力や衝撃が加わっても、これら圧力や衝撃がパック７に直接に及ぶことはなく、イチゴパックのような果物パックでも傷付きから守られる。
【００３０】
また、図８に示すように、左右側板３の支持突片３１は斜めになった下壁部３ｂから連続して直線的に突出し、縦仕切板５の支持突片５１もＶ字形に配置した側方帯上部５ｂから連続して直線的に突出しており、両支持突片３１，５１共に折り曲げがある場合に比較して格段に高剛性になるから、商品パック７の重量が大きくても座屈を生じず、もって該商品パック７を安定的に保護できる。
【００３１】
なお、縦仕切板５については、横仕切板４の切欠係合部４１の略Ｖ字形をなす下部４１ａへの嵌合により、縦断面略逆三角形状の折り付け状態が安定に保持されると共に、それ自体の長手方向中央部に設けた下縁からの切込み部５２を横仕切板４の切欠係合部４１の下方側に挿嵌するから、横仕切板４との十字形の交叉配置が安定に保たれる。
【００３２】
一方、商品パック７…を収容した中仕切付き段ボールトレーＴの運搬は、両手で左右の把手枠６，６の上板部６１側を掴んで行うことになるが、この上板部６１側が当該上板部６１と折返し用フラップ６２との間に左右側板３の支持フラップ３１を挟んだ三重構造をなして高剛性且つ高強度である上、左右側板３が支持フラップ３１を介して把手枠６に強固に保持されるから、パック商品７の重量が大きくなっても把手枠６の破断や底抜けの懸念なく安定に持ち運びできる。しかして、前後側板２Ａ，２Ｂの上縁に設けた手掛かり用凹部２１は、複数のトレーＴ…を段積みした状態で、上位トレーを持ち上げる際に手指を差し入れることができる。
【００３３】
図９〜図１１は、この考案に係る中仕切付き段ボールトレーの第２実施形態を示すもので、この実施形態の中仕切付き段ボールトレーは、実質的に第１実施形態の中仕切付き段ボールトレーの長さ方向を半分にした大きさであって、２つの収容室を有している。  従って、第１実施形態の中仕切付き段ボールトレーとは、考案の重要部分の構造は同じであるので、詳細な説明は省略する。また、図中の符号も実質的に同一箇所については同一の符号を用いる。
【００３４】
大きな相違点だけを簡単に説明しておくと、中仕切板４が、その両側を上板部６１，６１に連設されたひとつだけで、その中央に指入れ用切欠部８１が設けられている。
【００３５】
この第２実施形態の中仕切付き段ボールトレーは、第１実施形態の中仕切付き段ボールトレーと同様に、各収容室に納めた商品パックの周縁張出部を左右側板の支持突片と縦仕切板の支持突片とで支承することにより、該商品パックを底板から浮かせた状態で保持するが、それら支持突片が左右側板の下壁部と縦仕切板の側方帯状部とから連続して直線的に突出した形になるから、高剛性で商品パックの重量が大きくても座屈を生じず、もって該商品パックを圧力や衝撃から安定的に保護する。
【００３６】
また、組立手順は非常に簡単であり、その習熟に困難性はなく、誰でも短時間で能率よくトレーを組み立てることができる。
【００３７】
さらに、把手枠が三重構造をなして高剛性且つ高強度である上、左右側板３が支持フラップ３１を介して把手枠６に強固に保持されるから、パック商品７の重量が大きくなっても把手枠６の破断や底抜けの懸念なく安定に持ち運びできる。
【００３８】
この発明の中仕切付き段ボールトレーは、支持突片３１，５１の形成位置と大きさ及び数、左右側板３，３の両把手枠６に対する係合構造、各構成部の外形と寸法、把手枠６の形状と折返し用フラップ６２のロック構造等、細部構成については実施形態以外に種々設計変更可能である。
【図面の簡単な説明】
【００３９】
【図１】この発明の一実施形態に係る中仕切付き段ボールトレーの斜視図である。
【図２】同段ボールトレーの原材料である打抜き段ボールシートの平面図である。
【図３】同段ボールトレーの折畳み形態を示す斜視図である。
【図４】同折畳み形態から使用形態への組立第一段階を示す斜視図である。
【図５】同組立第二段階を示す斜視図である。
【図６】同組立第三段階を示す斜視図である。
【図７】同組立最終段階を示す斜視図である。
【図８】同段ボールトレーの使用形態における縦断正面図である。
【図９】この考案の第２実施形態に係る中仕切付き段ボールトレーの斜視図である。
【図１０】同段ボールトレーの原材料である打抜き段ボールシートの平面図である。
【図１１】同段ボールトレーの使用形態における縦断正面図である。
【符号の説明】
【００４０】
１・・・・底板
１０・・・収容部
２Ａ・・・前側側板
２Ｂ・・・後側側板
３・・・・左右側板
３ａ・・・上壁部
３ｂ・・・下壁部
３１・・・支持突片
３２・・・支持フラップ
４・・・・横仕切板
４１・・・切欠係合部
４１ａ・・下部
５・・・・縦仕切板
５ａ・・・中央帯状部
５ｂ・・・側方帯状部
５１・・・支持突片
５２・・・切込み部
６・・・・把手枠
６１・・・上板部
６２・・・折返し用フラップ
７・・・・商品パック
７ａ・・・周縁張出部
Ｆ・・・・折畳み形態
Ｓ・・・・打抜き段ボールシート
Ｔ・・・・中仕切付き段ボールトレー
ａ〜ｊ・・折線
ｐ・・・・切線
【図１】
2008068914.tif 000003
【図２】
2008068914.tif 000004
【図３】
2008068914.tif 000005
【図４】
2008068914.tif 000006
【図５】
2008068914.tif 000007
【図６】
2008068914.tif 000008
【図７】
2008068914.tif 000009
【図８】
2008068914.tif 000010
【図９】
2008068914.tif 000011
【図１０】
2008068914.tif 000012
【図１１】
2008068914.tif 000013